(57)【要約】【課題】使用者の身体の一部が点消火ボタンに当たって意図せずに点火操作が行われるのを防止する。【解決手段】消火位置にある点消火ボタン１２は、第１位置では、点消火ボタン１２の牽制ピン３５が、牽制案内部３７の上下案内部３７ａの上端に係合してロック状態となり、点消火ボタン１２を付勢力に抗して下方へ操作して牽制ピン３５が、牽制案内部３７の前後案内部３７ｂに到達すると、点消火ボタン１２の押し込み操作が可能なロック解除状態となる。点消火ボタン１２を、燃焼位置から消火位置に復帰させると、牽制ピン３５は牽制案内部３７の上下案内部３７ａの上端に係合してロック状態に復帰する。【選択図】図５
2018004174.tif 000002
【特許請求の範囲】
【請求項１】
ガスコンロ本体の上部の天板に設けた開口から臨むコンロバーナと、前記ガスコンロ本体に設けられて前記コンロバーナの点消火のために操作される点消火ボタンとを備えるガスコンロであって、
消火位置にある前記点消火ボタンは、第１位置と第２位置との間で移動が可能であると共に、前記第１位置側へ付勢され、
消火位置にある前記点消火ボタンの点火操作方向への移動を阻止するロック状態と前記点消火ボタンの前記点火操作方向への移動を許容するロック解除状態との切換えが可能なロック手段を備え、
前記ロック手段は、消火位置にある前記点消火ボタンの前記第１位置から第２位置への移動によって、前記ロック状態から前記ロック解除状態に切換え、前記点消火ボタンが燃焼位置から前記消火位置へ復帰作動して前記第２位置から前記第１位置に移動するのに連動して、前記ロック解除状態から前記ロック状態に切換える、
ことを特徴とするガスコンロ。
【請求項２】
前記第１位置は、前記第２位置の上方位置であり、
消火位置にある前記点消火ボタンを、前記第１位置側である上方へ付勢する付勢手段を備え、
前記ロック手段は、前記第１位置にある前記点消火ボタンが、前記付勢手段の付勢力に抗して下方の前記第２位置に移動することによって、前記ロック解除状態に切換えられて、前方に突出した前記点消火ボタンが、前記点火操作方向である後方へ移動するのを許容する、
請求項１に記載のガスコンロ。
【請求項３】
前記ロック手段は、前記点消火ボタンにおける外側面及び前記点消火ボタンを支持する固定支持枠の側壁の一方に突設された牽制突起と、
前記点消火ボタンにおける前記外側面及び前記固定支持枠の前記側壁の他方に形成されて前記牽制突起を係合案内する牽制案内部とを備え、
前記牽制案内部は、前記点消火ボタンが前記第１位置にあるときに、前記牽制突起の下方への移動を許容する一方、後方への移動を阻止し、前記点消火ボタンが前記第２位置にあるときに、前記牽制突起の上方及び後方への移動を許容する、
請求項２に記載のガスコンロ。
【請求項４】
前記点消火ボタンの前記外側面の上部には、支点軸が設けられ、
前記固定支持枠の前記側壁の上部には、前記支点軸を上下移動可能に係合案内する溝状の支点案内部が形成され、
前記ロック手段の前記牽制突起は、前記点消火ボタンの前記外側面の下部に突設され、
前記ロック手段の前記牽制案内部は、前記固定支持枠の前記側壁の下部に形成され、
前記牽制案内部は、消火位置にある点消火ボタンの牽制突起を上下移動可能に係合案内する溝状の上下案内部と、該上下案内部の下端に連なって前記牽制突起の後方への移動を許容する円弧状に延びる溝状の前後案内部とを有する、
請求項３に記載のガスコンロ。
【発明の詳細な説明】
【技術分野】
【０００１】
本発明は、ガスコンロに関し、更に詳しくは、不用意な点火が行われることを防止する機能を備えたガスコンロに関する。
【背景技術】
【０００２】
ガスコンロには、ガスコンロ本体の上部を覆う天板の前方側（使用者に近い側）の左右に、前方側のコンロバーナとして２つ、天板の後方側の中央に、後方側のコンロバーナとして１つの合計３つのコンロバーナが配置される一方、ガスコンロ本体の左右方向の中央部に配置されたグリル庫内に、グリルバーナを備えたものがある。
【０００３】
かかるガスコンロとして、例えば、特許文献１に示すように、３つの前記コンロバーナと前記グリルバーナとをそれぞれ点消火するための４つの点消火ボタンを、前記グリル庫の前面開口を開閉するグリル扉を挟んで、その左右の両側に、２つずつ、すなわち、一対ずつ配置したものがある。各点消火ボタンは、ガスコンロ本体の前方側へ突出する前端側部分をそれぞれ有しており、この突出した前端側部分を、操作部として押し操作することができる。
【０００４】
このガスコンロでは、グリル扉の左右両側の一対の点消火ボタンは、ガスコンロ本体の左右方向（横幅方向）に沿って隣接してそれぞれ配置されると共に、この隣接する２つの点消火ボタンの間に、点消火ボタンの前端側部分と同じ形状部分を有して点消火ボタンと同様に前方側に突出する中間部材を配設している。この中間部材は、点消火ボタンの操作方向と同方向への移動が不能であり、点消火ボタンのように押し操作することはできない。
【先行技術文献】
【特許文献】
【０００５】
【特許文献１】特開２０１４−０４４０３０号公報
【発明の概要】
【発明が解決しようとする課題】
【０００６】
特許文献１では、上記のように、隣接して並ぶ２つの点消火ボタンの間に、点消火ボタンの操作部となる前端側部分と同じ形状部分を有する押し操作不能の中間部材を配設しているので、使用者が、２つの点消火ボタンの一方の点消火ボタンを押し操作する場合に、誤って、手指が一方の点消火ボタンから他方側へはみ出すようなことがあっても、前記中間部材が存在するので、一方の点消火ボタンの押し操作が、他方の点消火ボタンに及ぶことがなく、意図せずに他方の点消火ボタンが押し操作されるのを回避することができる。
【０００７】
しかしながら、使用者の身体の一部が、ガスコンロ本体の前面部の点消火ボタンに不用意に接触して、押し操作していまい、コンロバーナが意図せずに点火してしまう虞がある。
【０００８】
特に、使用者に近い側である天板の前方側に配置された前方側のコンロバーナが、意図せずに点火してしまい使用者が驚くといった事態が生じるのは好ましくなく、改善が望まれる。
【０００９】
本発明は、上記のような点に鑑みてなされたものであって、使用者の身体の一部が点消火ボタンに当たって、意図せずに点火がなされてしまうことを防止することを目的とする。
【課題を解決するための手段】
【００１０】
上記目的を達成するために、本発明では次のように構成している。
【００１１】
（１）本発明に係るガスコンロは、ガスコンロ本体の上部の天板に設けた開口から臨むコンロバーナと、前記ガスコンロ本体に設けられて前記コンロバーナの点消火のために操作される点消火ボタンとを備えるガスコンロであって、
消火位置にある前記点消火ボタンは、第１位置と第２位置との間で移動が可能であると共に、前記第１位置側へ付勢され、消火位置にある前記点消火ボタンの点火操作方向への移動を阻止するロック状態と前記点消火ボタンの前記点火操作方向への移動を許容するロック解除状態との切換えが可能なロック手段を備え、前記ロック手段は、消火位置にある前記点消火ボタンの前記第１位置から第２位置への移動によって、前記ロック状態から前記ロック解除状態に切換え、前記点消火ボタンが燃焼位置から前記消火位置へ復帰作動して前記第２位置から前記第１位置に移動するのに連動して、前記ロック解除状態から前記ロック状態に切換える。
【００１２】
本発明によると、点消火ボタンは、第１位置側に付勢されており、この付勢力に抗して、消火位置にある点消火ボタンを、第１位置から第２位置に移動させなければ、ロック解除状態に切換えることはできず、消火位置にある点消火ボタンを、点火操作方向へ移動させることはできない。したがって、使用者の身体の一部が、点消火ボタンに当たる等しても、点消火ボタンは、点火操作方向に移動することはなく、意図せずに点火がなされてしまうようなことが防止される。
【００１３】
また、消火位置にある点消火ボタンを、付勢力に抗して第１位置から第２位置に移動させて、ロック解除状態とし、点消火ボタンを点火操作方向へ操作してコンロバーナを点火して燃焼を開始した後、消火操作を行って、点消火ボタンが燃焼位置から消火位置へ復帰作動すると、点消火ボタンが、前記付勢力によって第２位置から第１位置に移動するのに連動して、ロック解除状態からロック状態に戻るので、消火位置では、常に、ロック状態となる。したがって、ロックのかけ忘れのないチャイルドロックとしても有効に機能する。
【００１４】
（２）本発明の好ましい実施態様では、前記第１位置は、前記第２位置の上方位置であり、消火位置にある前記点消火ボタンを、前記第１位置側である上方へ付勢する付勢手段を備え、前記ロック手段は、前記第１位置にある前記点消火ボタンが、前記付勢手段の付勢力に抗して下方の前記第２位置に移動することによって、前記ロック解除状態に切換えられて、前方に突出した前記点消火ボタンが、前記点火操作方向である後方へ移動するのを許容する。
【００１５】
この実施態様によると、点消火ボタンを、付勢力に抗して下方へ移動させてロックを解除するロック解除操作から、前方へ突出した点消火ボタンを後方へ押し込む点火操作まで２アクション操作で円滑に行うことができる。
【００１６】
（３）本発明の他の実施態様では、前記ロック手段は、前記点消火ボタンにおける外側面及び前記点消火ボタンを支持する固定支持枠の側壁の一方に突設された牽制突起と、前記点消火ボタンにおける前記外側面及び前記固定支持枠の前記側壁の他方に形成されて前記牽制突起を係合案内する牽制案内部とを備え、前記牽制案内部は、前記点消火ボタンが前記第１位置にあるときに、前記牽制突起の下方への移動を許容する一方、後方への移動を阻止し、前記点消火ボタンが前記第２位置にあるときに、前記牽制突起の上方及び後方への移動を許容する。
【００１７】
この実施態様によると、点消火ボタンの外側面及び固定支持枠の側壁の一方に突設された牽制突起と、他方に形成されて前記牽制突起を係合案内する牽制案内部とを備えるロック手段によって、点消火ボタンが第１位置にあるときには、牽制突起の後方への移動を阻止してロック状態とすると共に、下方である第２位置側への移動を許容し、点消火ボタンが第２位置にあるときに、牽制突起の後方への移動を許容するロック解除状態とすると共に、上方である第１位置側への移動を許容することができる。
【００１８】
（４）本発明の他の実施態様では、前記点消火ボタンの前記外側面の上部には、支点軸が設けられ、前記固定支持枠の前記側壁の上部には、前記支点軸を上下移動可能に係合案内する溝状の支点案内部が形成され、前記ロック手段の前記牽制突起は、前記点消火ボタンの前記外側面の下部に突設され、前記ロック手段の前記牽制案内部は、前記固定支持枠の前記側壁の下部に形成され、前記牽制案内部は、消火位置にある点消火ボタンの牽制突起を上下移動可能に係合案内する溝状の上下案内部と、該上下案内部の下端に連なって前記牽制突起の後方への移動を許容する円弧状に延びる溝状の前後案内部とを有する。
【００１９】
この実施態様によると、点消火ボタンが下方へ操作されてロック手段の牽制突起が、上下案内部の下端に到達すると、牽制突起の後方への移動が許容されるロック解除状態となり、点消火ボタンが点火操作方向である後方へ操作されると、牽制突起が、円弧状の前後案内部に係合することで、点消火ボタンが、支点軸を中心に円弧に沿って揺動するので、点消火ボタンが上方へ変位することがなく、点消火ボタンの点火位置や燃焼位置での位置姿勢が的確に安定保持される。
【発明の効果】
【００２０】
本発明によれば、消火位置では点消火ボタンが、点火操作方向への移動が阻止されるロック状態となるので、使用者の身体の一部が点消火ボタンに当たって意図せずに点火操作がなされてしまうことを防止することができる。
【図面の簡単な説明】
【００２１】
【図１】本発明の一実施形態に係るガスコンロの全体斜視図である。
【図２】点消火操作部を前方から見た斜視図である。
【図３】点消火操作部を後方から見た斜視図である。
【図４】点消火操作部を分解した斜視図である。
【図５】ガス弁ブロックと点消火操作部を示す一部切欠き側面図である。
【図６】ロック解除が実行された時点における点消火操作部の側面図である。
【図７】点火位置に操作された点消火操作部の側面図である。
【図８】燃料ガスの供給経路図である。
【図９】位置保持機構の作動を示す概略平面図であり、（Ａ）は消火状態、（Ｂ）は点火状態、（Ｃ）は燃焼状態を示している。
【図１０】本発明の他の実施形態の点消火操作部の側面図である。
【図１１】本発明の別の実施形態の点消火操作部の側面図である。
【発明を実施するための形態】
【００２２】
以下、添付した図面を参照して、本発明の実施形態に係るガスコンロを説明する。本発明の一実施形態のガスコンロとして、コンロ部とグリルとを備えたビルトイン型のガスコンロ１について、添付図面に基づいて説明する。
【００２３】
図１に示すように、ガスコンロ１の天面部を構成する天板２には３つのコンロ部３が設けられている。各コンロ部３には、それぞれ異なった火力のコンロバーナ４と、放電式の点火装置５及び点火検知装置６とが備えられ、更に、天板２の上面には、コンロ部３に対応する五徳７が載置されている。この例では、天板２の前方側（使用者に近い側）の左右のコンロバーナ４が、高火力バーナ４であり、後方側の中央のコンロバーナ４が、小火力バーナである。
【００２４】
ガスコンロ１には、グリル８が設けられている。グリル８は、ガスコンロ１の本体内の中央部に形成されるグリル庫と、グリル庫内に設けられるグリルバーナ（図示せず）と、図示しない点火装置及び点火検知装置を備えている。グリル８の前端は、ガスコンロ１の前面に開口していてグリル扉９によって開閉自在に閉塞される。
【００２５】
点火装置５は、イグナイタで発生させる高圧パルスにより、コンロバーナ及びグリルバーナにおける燃料ガスの吐出口に設けられる点火プラグに放電を起こさせて点火する周知構造のものが採用されている。また、点火検知装置６は、火炎の熱により熱起電力が発生する熱電対を利用して点火状態を検知する周知構造のものが採用されている。
【００２６】
ガスコンロ１の正面には、前面パネル１１が設けられている。前面パネル１１の左側の上部には、前方左側のコンロバーナ４と後方中央側のコンロバーナ４を、点火および消火するための二つの点消火ボタン（点消火操作具）１２が並べて設けられるとともに、前面パネル１１の右側の上部には、前方右側のコンロバーナ４とグリルバーナを、点火および消火するための二つの点消火ボタン１２が並べて設けられている。
【００２７】
また、各点消火ボタン１２の上方には、各バーナへのガス供給量を調節して火力を加減するため火力調節レバー１３が左右に移動操作可能に配備されている。
【００２８】
前面パネル１１の左側の下部には、内蔵された制御部、等の電源となる電池を収容する電池ケース１４が設けられている。
【００２９】
各点消火ボタン１２の背部には、ガスコンロ１のコンロバーナ４あるいはグリルバーナへガス供給を行う同一仕様のガス弁ブロック１５がそれぞれ配備されている。図５に、ガス弁ブロック１５とその操作部の側面図が、また、図８に、ガス弁ブロック１５における燃料ガスの供給経路図が示されている。
【００３０】
これらの図に示すように、ガス弁ブロック１５には、電磁開閉式の安全弁１６、メイン弁１７、大火力／小火力切替に利用される第１，第２ラッチ式電磁弁１８ａ，１８ｂ、及び、火力調節用の流量調整弁１９が組み込まれている。このガス弁ブロック１５では、ガス流入ポート２０から流入した燃料ガスが、安全弁１６、メイン弁１７、第１，第２ラッチ式電磁弁１８ａ，１８ｂ、及び、流量調整弁１９を経てガス流出ポート２１から送出され、コンロバーナ４（あるいはグリルバーナ）に供給されるようになっている。
【００３１】
なお、安全弁１６は、点火検知装置６により火炎が検知されている場合にのみ、図示しない制御部によって開放状態が維持され、火炎が検知されなくなると、制御部による開放状態の維持が停止して閉止される。これによって、煮こぼれや風による立ち消えが起こって点火検知装置６で火炎が検知されなくなった場合に、燃料ガスの流出が防止される。
【００３２】
図５に示すように、ガス弁ブロック１５の前部には、支持ケース２４が連結固定されている。この支持ケース２４に、点消火ボタン１２に連動して作動するスライダ２５が、前後方向にスライド移動自在に装備されるとともに、前方に向けてバネ２６でスライド付勢して組み込まれている。そして、スライダ２５の後端に、メイン弁１７におけるバルブロッド１７ａの前端が突合せ対向して配備されている。スライダ２５の後方移動に伴ってバルブロッド１７ａが、スライダ２５の後端に当接され、バネ付勢力に抗して後方に押圧変位されてメイン弁１７が開かれる。逆に、後方位置のスライダ２５が前方へ移動するに伴ってバルブロッド１７ａが、スライダ２５の変位に追従して前方に移動し、スライダ２５が一定位置以上に前方へ移動することで、開き状態のメイン弁１７が、弁座に付勢押圧されて閉じられるようになっている。
【００３３】
図５は、スライダ２５が最前方の「消火位置」（ａ）にある状態が示されており、この状態では、スライダ２５の後端と、閉じ状態にあるメイン弁１７のバルブロッド１７ａの前端との間には小間隙ｓが形成されている。この小間隙ｓが、スライダ２５が点火操作方向である後方へ移動する際の「遊びストローク」となっている。
【００３４】
点消火ボタン１２は、ガスコンロ１の前部に配置固定される固定支持枠２７に、それぞれ上部の支点軸２８を中心にして前後方向に揺動自在に支持されている。点消火ボタン１２は、その背面に設けた操作部１２ａが、ガス弁ブロック１５から突出するスライダ２５の前端で当接支持されている。従って、点消火ボタン１２を後方に押し込み操作することで、スライダ２５をバネ２６に抗して後方へ当接移動させて、メイン弁１７を開き操作するようになっている。
【００３５】
スライダ２５は、図５に示すように、ガス弁ブロック１５の下部に設けたプッシュ・プッシュ方式の位置保持機構３０によって、最前方の「消火位置」（ａ）、最後方の「点火位置」（ｂ）、及び、その中間の「燃焼位置」（ｃ）に切替え保持可能となっている。
【００３６】
すなわち、位置保持機構３０は、スライダ２５に一体連設されたカム体３１と、バネ線材を屈折してなる牽制部材３２とを備えている。牽制部材３２は、支持ケース２４の後部に、横回動のみ可能に支持されている。
【００３７】
カム体３１の下面には、図９に示すように、横向きハート形ループ状の溝カム３３が形成されている。牽制部材３２の前端に屈折形成したフォローピン部３２ａが、溝カム３３に弾性係入されている。
【００３８】
そして、スライダ２５が前方に突出した「消火位置」（ａ）にある時、図９（Ａ）に示すように、フォローピン部３２ａは、溝カム３３における後部の消火位置（ｅ）にある。点消火ボタン１２を押し込み操作（プッシュ）して、スライダ２５をバネ付勢力に抗して「消火位置」（ａ）から、後方の「点火位置」（ｂ）に移動させると、図９（Ｂ）に示すように、溝カム３３の後端部に位置していたフォローピン部３２ａは、カム体３１に対して相対的に前方へ移動し、溝カム３３の第１径路Ｌ１を経て点火位置（ｆ）に導かれる。
【００３９】
スライダ２５が「点火位置」（ｂ）へ移動することで、バルブロッド１７ａが追従して移動し、メイン弁１７が開放されると共に、安全弁１６が開放される。更に、図示しない器具栓スイッチがＯＮとなって制御部への給電が開始されて制御部が動作を開始すると共に、図示しない点火器スイッチがＯＮとなって、制御部は、第１，第２ラッチ式電磁弁１８ａ，１８ｂを開放して燃料ガスをバーナ４へ供給すると共に、前記点火装置５を作動させて点火動作がなされる。点火動作によるバーナ４への着火が点火検知装置６で検知されると、制御部は安全弁１６を開放状態に保持し、コンロバーナ４の燃焼を継続する。
【００４０】
点火操作後、点消火ボタン１２から手を離して押し込み操作を解除すると、スライダ２５がバネ付勢力によって「点火位置」（ｂ）から前方へ復帰移動する。この時、図９（Ｃ）に示すように、溝カム３３の底部に形成されている第１段差ｄ１にフォローピン部３２ａが当接案内されて、第１径路Ｌ１に戻ることなく第２径路Ｌ２に導かれ、第２径路Ｌ２の後端である燃焼位置（ｇ）において安定保持される。そして、スライダ２５が「燃焼位置」（ｃ）にある状態ではメイン弁１７は、未だ弁座から十分離れた状態にあり、引き続き燃料ガスの供給が行われて、バーナ４は燃焼状態に維持される。
【００４１】
消火するには、先ず、点消火ボタン１２を再び限界まで押込み操作（プッシュ）した後、押込み操作を解除する。この場合、点消火ボタン１２の押込み操作に伴ってスライダ２５は、図９（Ｃ）に示される「燃焼位置」（ｃ）から後方に移動するが、第２径路Ｌ２の底部に形成されている第２段差ｄ２によって、フォローピン部３２ａは、第２径路Ｌ２に戻ることなく第３径路Ｌ３に導かれて相対的に前方に移動する。ここで、第３径路Ｌ３の前端は、スライダ２５が「点火位置」（ｂ）に到達しない位置に設定されており、無駄に放電点火作動が行われことはない。
【００４２】
次に、点消火ボタン１２の操作解除に伴ってスライダ２５が、バネ２６の付勢力によって前方の「消火位置」（ａ）に復帰移動するが、この際、第３径路Ｌ３の底部に形成されている第３段差ｄ３によって、フォローピン部３２ａは、第３径路Ｌ３に戻ることなく第４径路Ｌ４に導かれて元の「消火位置」（ｅ）に達する。なお、第４径路Ｌ４の後部底面にも第４段差ｄ４が形成されており、スライダ２５が、「消火位置」（ａ）から後方に移動される場合に、フォローピン部３２ａが、第４段差ｄ４に当接案内され、第４径路Ｌ４に入り込むことなく正しく第１径路Ｌ１に導かれるようになっている。
【００４３】
スライダ２５が、上記のように前方の「消火位置」（ａ）へ復帰移動することによって、メイン弁１７が閉止し、コンロバーナ４が消火される。そして、グリルを含む全ての点消火ボタン１２のスライダ２５を「消火位置」（ａ）にすると、各コンロバーナ４の全てのメイン弁１７が閉止して消火され、かつ、各コンロバーナ４の全ての器具栓スイッチがＯＦＦになり、各コンロバーナ４の安全弁１６が閉止されると共に、第１，第２ラッチ式電磁弁１８ａ，１８ｂが閉止される。更に、制御部は、該制御部の給電状態を保持するための電源保持信号の出力を停止し、これによって制御部への給電が終了する。
【００４４】
以上の構成は基本的には従来構造と同様であり、本発明においては、使用者の身体の一部が点消火ボタン１２に当たって押し込まれ、コンロバーナ４やグリルバーナが不用意に点火されてしまうことを防止するために、以下のような構造が備えられている。
【００４５】
図２は、点消火ボタン１２を含む点消火操作部を前方から見た斜視図であり、図３は、点消火操作部を後方から見た斜視図であり、図４は、点消火操作部を分解した斜視図である。
【００４６】
これらの図に示すように、点消火ボタン１２における左右側面の上下には、前記支点軸２８と、牽制突起としての牽制ピン３５とが突設される一方、点消火ボタン１２を支持する固定支持枠２７における左右側壁２７ａの上下には、支点軸２８を係合案内する支点案内部３６と、牽制ピン３５を係合案内する牽制案内部３７とが形成されている。
【００４７】
支点案内部３６は、貫通した溝状であり、挿入された支点軸２８を、一定範囲で上下移動可能に案内する。また、牽制案内部３７は、貫通した溝状であり、挿入された牽制ピン３５を、一定範囲で上下移動可能に案内する上下案内部３７ａと、上下案内部の下端から後方へ連なる前後案内部３７ｂとを備えている。前後案内部３７ｂは、支点案内部３６の下端部を中心とする円弧状に形成されている。
【００４８】
支点軸２８が係合する支点案内部３６と、牽制ピン３５が係合する上下案内部３７ａとによって、点消火位置にある点消火ボタン１２は、上方の第１位置と下方の第２位置との間で、上下に移動可能である。
【００４９】
なお、支点案内部３６は、固定支持枠２７における側壁２７ａの左右に弾性変形不能な部位に形成されているので、支点案内部３６の上下中間部に切欠き形成した開口を経て、支点軸２８を後方から支点案内部３６に係合させるようになっている。他方、牽制案内部３７における前後案内部３７ｂの後部は、後向き片持ち状に延出された側壁２７ａの後端側に位置しているので、左右側壁２７ａの後部を横外方に押し広げ変形させながら、牽制ピン３５を前後案内部３７ｂの後部に係合させることができる。
【００５０】
また、点消火ボタン１２の上端に突設したバネ受け部１２ｂと、固定支持枠２７の上端に設けたバネ受け部２７ｂとに亘って付勢手段としての引っ張りバネ３８が取り付けられ、点消火ボタン１２が常に上方の第１位置に向けて引き上げ付勢されている。
【００５１】
上記のように支持された点消火ボタン１２は以下のように操作される。
【００５２】
図５に示すように、点消火ボタン１２が最も前方に突出した「消火位置」にある状態では、引っ張りバネ３８で引上げ付勢された点消火ボタン１２は、上方に引き上げられて第１位置にある。この第１位置では、支点軸２８は、支点案内部３６の上端に、また、牽制ピン３５は、牽制案内部３７における上下案内部３７ａの上端にそれぞれ係合保持されている。
【００５３】
従って、この状態では、牽制ピン３５が、上下案内部３７ａの上部に係合することで、支点軸２８の軸心を中心とする点消火ボタン１２の回動が係合阻止されたロック状態にあり、点消火ボタン１２に点火操作方向である後方への押込み方向の外力が加えられても回動することがない。つまり、単に押込み外力が作用しただけでは点火操作方向への移動が牽制阻止される。
【００５４】
点火操作に際しては、図６に示すように、先ず、「消火位置」にある点消火ボタン１２をバネ付勢力に抗して押し下げ操作して第２位置へ移動させる。すなわち、点消火ボタン１２の点火操作方向とは異なる方向である上下方向の下方へ操作する。これによって、支点軸２８は、支点案内部３６の下端に移動するとともに、牽制ピン３５は、牽制案内部３７における上下案内部３７ａの下端に移動し、第２位置では、牽制ピン３５は、上下案内部３７ａの下端に到達する。
【００５５】
牽制案内部３７における上下案内部３７ａの下端は、支点案内部３６の下端部を中心として円弧状に延びる前後案内部３７ｂに連なっているので、上下案内部３７ａの下端に到達した牽制ピン３５は、前後案内部３７ｂに沿った移動が許容される。すなわち、点消火ボタン１２の押し込み方向への移動が許容されるロック解除状態となる。
【００５６】
このように点消火ボタン１２の左右側面に突設された牽制ピン３５と、固定支持枠２７の左右側壁２７ａに形成された牽制案内部３７とは、消火位置にある点消火ボタン１２の点火操作方向への移動を阻止する上記ロック状態と、前記点火操作方向への移動を許容する上記ロック解除状態とに切換え可能なロック手段を構成する。
【００５７】
このロック手段によると、横幅のある点消火ボタン１２の左右でロックが掛かるので、ロック機能が確実であり、点消火ボタン１２の横方向に偏った箇所に外力が作用しても的確に点消火ボタン１２の点火操作方向への移動を阻止することができる。
【００５８】
次に、一旦押し下げてロック解除状態となった点消火ボタン１２を、引き続き後方の「点火位置」まで押し込み操作する。これによって、点消火ボタン１２は、支点案内部３６の下端に受け止められた支点軸２８の軸心ｐを中心にして後方へ揺動され、牽制ピン３５は、牽制案内部３７における円弧状の前後案内部３７ｂに沿って後方に移動する。そして、点消火ボタン１２が「点火位置」まで押し込まれた状態では、図７に示すように、牽制ピン３５は前後案内部３７ｂの後端に到達する。
【００５９】
点火操作の後、点消火ボタン１２から手指を放すと、上記したように位置保持機構３０によって、点消火ボタン１２は「点火位置」より少し前方の「燃焼位置」まで復帰移動されて安定保持される。この時、図７中の仮想線で示すように、牽制ピン３５は、前後案内部３７ｂの前後中間位置で係合することになり、バネ付勢力によって点消火ボタン１２が上方への移動することが阻止される。
【００６０】
そして、点消火ボタン１２を「燃焼位置」から再び押し込み操作した後、点消火ボタン１２から手指を放すと、上記したように、点消火ボタン１２は、前記スライダ２５の前方復帰作動に伴って「燃焼位置」から「消火位置」に向けて復帰揺動し、これに連動して、牽制ピン３５が、牽制案内部３７の前後案内部３７ｂに沿って前方に移動する。そして、点消火ボタン１２が「消火位置」にまで復帰揺動すると、牽制ピン３５が前後案内部３７ｂの前端、すなわち、上下案内部３７ａの下端である第２位置に到達する。これによって、牽制ピン３５の上方への移動に制約がなくなり、点消火ボタン１２は、引っ張りバネ３８による引き上げ付勢力によって上方の第１位置に移動し、元の位置姿勢に復帰する。つまり、点消火ボタン１２が「消火位置」に戻ることで、自動的にロック状態にリセットされる。
【００６１】
上記のように本実施形態によれば、点消火ボタン１２が、消火位置にあるときには、常に、上方の第１位置にあってロック状態となるので、点消火ボタン１２の点火操作方向とは異なる方向である下方へ操作してロック解除しなければ、点消火ボタン１２を押し込み操作することはできない。これによって、使用者の身体の一部が点消火ボタン１２に当たる等して、意図せずに点火がなされてしまうようなことが防止される。また、消火位置では、点消火ボタン１２は、常にロック状態となるので、ロックのかけ忘れのないチャイルドロックとしても有効に機能する。
【００６２】
上記実施形態では、引っ張りバネ３８によって、点消火ボタン１２を上方のロック側へバネ付勢したが、引っ張りバネに限らず、線バネ、ねじりバネ、板バネ、等を用いて付勢してもよい。
【００６３】
本発明の他の実施形態として、図１０に示すように、牽制案内部３７の前後案内部３７ｂの前後中間に、組み込み用の開口４０を形成してもよい。これによって、牽制案内部３７への牽制ピン３５の組付け係合を容易に行うことができる。
【００６４】
牽制案内部３７の前後案内部３７ｂは、その上縁のみが牽制ピン３５を係合案内して点消火ボタン１２の上方移動を牽制するものであるので、本発明の他の実施形態として、図１１に示すように、前後案内部３７ｂを側壁２７ａの下端縁で形成してもよい。
【００６５】
また、図示しないが、牽制ピンを、固定支持枠における左右側壁に形成し、牽制案内部を、点消火ボタンに形成し、前記牽制ピン及び前記牽制案内部とによって、点消火ボタンが前記第１位置にあるときに、点消火ボタンの後方への移動が阻止されるように構成してもよい。
【００６６】
本発明は、上記実施形態に限定されるものではなく、本発明の範囲内において種々の変形を加えることが可能である。
【符号の説明】
【００６７】
１２              点消火ボタン
２７              固定支持枠
２７ａ            側壁
２８              支点軸
３５              牽制ピン（牽制突起）
３６              支点案内部
３７              牽制案内部
３７ａ            上下案内部
３７ｂ            前後案内部
３８              バネ
ｐ                軸心
【図１】
2018004174.tif 000003
【図２】
2018004174.tif 000004
【図３】
2018004174.tif 000005
【図４】
2018004174.tif 000006
【図５】
2018004174.tif 000007
【図６】
2018004174.tif 000008
【図７】
2018004174.tif 000009
【図８】
2018004174.tif 000010
【図９】
2018004174.tif 000011
【図１０】
2018004174.tif 000012
【図１１】
2018004174.tif 000013